【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
１基又は２基以上の極低温冷凍システムを駆動する圧力波発生器であって、
１つ又は２つ以上の入口／出口ポートを備えたハウジングを有し、発生したガスの圧力波が、前記入口／出口ポートに連結されている１基又は複数基の極低温冷凍システムを駆動するよう前記入口／出口ポートを通過することができ、
前記ハウジング内に設けられた少なくとも１対の互いに反対側のダイヤフラムを有し、前記ダイヤフラムは、各前記ダイヤフラムと関連したガス空間内に圧力波を生じさせるよう前記ハウジング内で往復動状態で動くことができ、前記ガス空間のうちの少なくとも１つは、前記圧力波が通過することができる関連の入口／出口ポートを有し、前記ダイヤフラムの各対と関連した前記ガス空間は、前記ダイヤフラムに加わる平均ガス力を釣り合わせるよう連結され、
前記ダイヤフラムの各対を前記ハウジング内で往復動状態で動かして前記ハウジングの前記入口／出口ポートに連結されている１基又は２基以上の極低温冷凍システムを駆動するための前記圧力波を発生させるよう動作できる駆動システムを有する、圧力波発生器。
【請求項２】
前記駆動システムは、各前記ダイヤフラムにより各前記ガス空間内に生じる前記圧力波相互間の位相差が生じるように各対の前記ダイヤフラムを動かすよう構成されている、請求項１記載の圧力波発生器。
【請求項３】
各対の前記ダイヤフラムは、前記ダイヤフラムが前記駆動システムにより一緒に動かされて前記対の一方のダイヤフラムにより生じた前記圧力波が前記対の他方の前記ダイヤフラムにより生じた圧力波に対して１８０°位相ずれするよう作動的に結合されている、請求項１又は２記載の圧力波発生器。
【請求項４】
前記ハウジング内に２対の互いに反対側のダイヤフラムが設けられ、前記２対は、一方の対の前記ダイヤフラムにより生じた前記圧力波が他方の対の前記ダイヤフラムにより生じた圧力波に対して９０°位相ずれするように互いに実質的に直交している、請求項１〜３のうちいずれか一に記載の圧力波発生器。
【請求項５】
前記駆動システムは、前記ダイヤフラムに結合された往復動ピストンと、前記ピストンを往復動状態で駆動するよう構成された１つ又は２つ以上の動作可能なアクチュエータとを有する、請求項１〜４のうちいずれか一に記載の圧力波発生器。
【請求項６】
前記駆動システムは、前記ダイヤフラムの各対のための往復動ピストンを有し、各前記ピストンは、１対の前記ダイヤフラムに結合されていて、１つ又は２つ以上の動作可能なアクチュエータによって往復動状態で駆動される、請求項１〜４のうちいずれか一に記載の圧力波発生器。
【請求項７】
前記対をなすダイヤフラムは、環状であり、各対の前記ダイヤフラムの内縁部は、それぞれの前記ピストンの互いに反対側の端に固定され、外縁部は、前記ハウジング内の反対側の場所に固定されている、請求項６記載の圧力波発生器。
【請求項８】
前記駆動システムの前記アクチュエータは、前記駆動システムの前記ピストンに直接結合されている、請求項６又は７記載の圧力波発生器。
【請求項９】
前記駆動システムの前記アクチュエータは、各前記ピストンについてクランクを有する単一の回転可能なクランクシャフトを有し、各前記ピストンは、コンロッドを介して前記クランクシャフトのそれぞれの前記クランクに結合されていて、前記クランクシャフトが回転すると、それにより前記コンロッドは、往復動状態で動き、それにより前記ピストンを往復動状態で駆動するようになっている、請求項８記載の圧力波発生器。
【請求項１０】
前記ハウジング内には２対の互いに反対側のダイヤフラムが設けられており、前記２対は、互いに実質的に直交しており、１対の前記ダイヤフラムのための前記クランクシャフトの前記クランクは、他方の対のダイヤフラムのための前記クランクシャフトの他方のクランクよりも位相が９０°だけ進んでいる、請求項９記載の圧力波発生器。
【請求項１１】
前記駆動システムの前記アクチュエータは、１本又は複数本の回動可能なレバーにより前記駆動システムを前記ピストンに間接的に結合されている、請求項６又は７記載の圧力波発生器。
【請求項１２】
前記駆動システムの各前記ピストンは、回動可能なレバーに結合されており、アクチュエータが、前記レバーの端に結合されていて、前記レバーをそのピボット点回りに往復動円弧の状態で回動させ、それにより前記ピストン及びその対をなす前記ダイヤフラムを往復動状態で駆動し、それにより圧力波を発生させるよう構成されている、請求項１１記載の圧力波発生器。
【請求項１３】
各前記レバーは、一端が、前記ハウジング内に設けられた１つ又は２つ以上の可撓性リンク装置に固定され、前記リンク装置は、前記レバーの端のところに前記レバーの回動の中心となるピボット点を作るよう構成されている、請求項１１記載の圧力波発生器。
【請求項１４】
前記可撓性リンク装置は、前記レバーの自由端に加えられた圧力に応答して撓み、それにより前記レバーを前記ピボット点回りに回動させることができる、請求項１３記載の圧力波発生器。
【請求項１５】
各前記レバーは、前記レバーの一部と前記ピストンの一部との間に延びる１つ又は２つ以上の可撓性リンク装置を介してピストンに結合されている、請求項１２〜１４のうちいずれか一に記載の圧力波発生器。
【請求項１６】
各前記レバーは、一端が、前記レバーの回動の中心となる回動可能な継手を介して前記ハウジング内に固定されている取付けコンポーネントに結合されている、請求項１２記載の圧力波発生器。
【請求項１７】
各前記レバーは、前記レバーの一部と前記ピストンの一部との間に延びる剛性リンク装置を介してピストンに結合されている、請求項１６記載の圧力波発生器。
【請求項１８】
前記アクチュエータは、コンロッドを有し、前記コンロッドは、前記レバーの一端と回転可能なクランクシャフトのクランクとの間に結合されていて、前記クランクシャフトが回転すると、それにより前記コンロッドが往復動状態で動き、それにより前記レバーの前記端を往復動円弧の状態で駆動するようになっている、請求項１２〜１７のうちいずれか一に記載の圧力波発生器。
【請求項１９】
前記駆動システムの前記アクチュエータは、前記ハウジングの前記ガス空間内には配置されていない、請求項５〜１８のうちいずれか一に記載の圧力波発生器。
【請求項２０】
各前記ガス空間は、ダイヤフラムと、前記ダイヤフラムのための前記駆動システムの関連のピストンの表面と、前記ハウジングの一部とによって構成されている、請求項５〜１９のうちいずれか一に記載の圧力波発生器。
【請求項２１】
前記ガス空間を構成する前記コンポーネントは、熱交換に適した材料で作られている、請求項２０記載の圧力波発生器。
【請求項２２】
各対の前記ダイヤフラムと関連した前記ガス空間は、連結パイプによって互いに連結され、前記連結パイプは、２つの前記ガス空間相互間のガス流を無視できるレベルまで減少させるオリフィスを有する、請求項１〜２１のうちいずれか一に記載の圧力波発生器。
【請求項２３】
各入口／出口ポートは、流れを所望に応じて方向的に制限するよう動作できる関連の弁を有する、請求項１〜２２のうちいずれか一に記載の圧力波発生器。
【請求項２４】
各対の前記ダイヤフラムは、前記ダイヤフラムが前記ダイヤフラムに加わる平均ガス力を釣り合わせるように一緒に動くよう互いに作動的に結合されている、請求項１〜２３のうちいずれか一に記載の圧力波発生器。
【請求項２５】
前記入口／出口ポートは、次に記載する極低温冷凍システム、即ち、スターリングシステム、パルス管システム及び（又は）ギフォードマクマホンシステムのうち任意の１つ又は２つ以上に連結されている、請求項１〜２４のうちいずれか一に記載の圧力波発生器。
【請求項２６】
請求項１〜２５のうちいずれか一に記載の圧力波発生器により駆動される極低温冷凍システム。